(57)【要約】【目的】目地施工を必要とせず、誰にでも容易に正しく作業することができるようにする。【構成】地表面や各種構築物の表面などに舗装を構築するためのものであって、任意の模様を形成する格子状構造を持ち、格子状構造の内部が中空状又は凹状の嵌め込み部１３となっているブロック枠１１と、ブロック枠１１の嵌め込み部１３に嵌め込む中詰めブロック２０とから構成され、中詰めブロック２０は、石材や木材を所要の大きさ、形状に切り出したブロック、或いは芝等を植えたマット、若しくは所要の大きさ、形状に型成形されたコンクリートブロック、タイル等から成る。【選択図】　　　　図４
2004116091.tif 000002
【特許請求の範囲】
【請求項１】
地表面や各種構築物の表面などに舗装を構築するためのものであって、任意の模様を形成する格子状構造を持ち、格子状構造の内部が中空状又は凹状の嵌め込み部になっているブロック枠と、ブロック枠の嵌め込み部に嵌め込む中詰めブロックとから構成され、中詰めブロックは、石才や木材を所要の大きさ、形状に切り出したブロック、或いは芝等を植えたマット、若しくは所要の大きさ、形状に型成形されたコンクリートブロック、タイル等から成ることを特徴とする嵌め込み式舗石ブロック装置。
【請求項２】
中詰めブロックは、周囲に係合部を有しており、ブロック枠には、係合部に係合可能な係合部材を取り付ける部分が設けられていて、中詰めブロックがブロック枠から離脱するのを防止する手段を提供している請求項１記載の嵌め込み式舗石ブロック装置。
【請求項３】
複数個のブロック枠を前後左右に配置したときに、隣接するブロック枠同士を連結する手段を有している請求項１記載の嵌め込み式舗石ブロック装置。
【発明の詳細な説明】
【０００１】
【発明の属する技術分野】
本発明は、地表面や各種構築物の表面などに舗装を構築するための嵌め込み式舗石ブロック装置に関するものである。
【０００２】
【従来の技術】
舗石ブロックは、例えば歩道や広場などに敷きつめられ、施工時に一定間隔の目地を施す必要があるため、敷設には熟練を要する。また、舗石ブロックによって特定のパターンの模様が形成される場合には、舗石の配置を間違ったときのやり直しが大変である。パターン模様は場所場所でどのような舗石を配置すべきか決まっているものであるから、その模様が敷設前に明示されていれば間違いも起こらず、また工事も進み易いが、従来の方法では出来上がってみなければ分からないため、施工し易いとは言えない。
【０００３】
【発明が解決しようとする課題】
本発明は前記の点に着目してなされたもので、その課題は、目地施工を必要とせず、誰にでも簡単に正しい作業をすることができるようにすることである。また本発明の他の課題は、完成状態のパターン模様を予め確認可能であることにより、舗石の配置を間違えずに済むようにすることである。
【０００４】
【課題を解決するための手段】
前記の課題を解決するために本発明は、舗石ブロック装置を、任意の模様を形成する格子状構造を持ち、格子状構造の内部が中空状又は凹状の嵌め込み部になっているブロック枠と、ブロック枠の嵌め込み部に嵌め込む中詰めブロックとから成り、中詰めブロックは、石才や木材を所要の大きさ、形状に切り出したブロック、或いは芝等を植えたマット、若しくは所要の大きさ、形状に型成形されているコンクリートブロック、タイル等によって構成するという手段を講じたものである。
【０００５】
【発明の実施の形態】
本発明の、嵌め込み式舗石ブロック装置は、地表面や各種構築物の表面などに舗装を築造するためのものであり、例えば従来の敷き石の代替えとなり得るものである。この装置はブロック枠と中詰めブロックとから成り、中詰めブロックは舗石ブロックに相当する一方、ブロック枠は舗石ブロックの配置を定める機能を持っている。
【０００６】
即ち、ブロック枠は任意の模様を形成する格子状構造を持ち、格子状構造の内部が中空状又は凹状の嵌め込み部になっている。任意の模様とは文字通り模様のパターンにとらわれないということを意味しており、図１に示されている方形格子や、図８に示されている扇形格子などの幾何模様、或いは花や植物の葉などを形取った自由模様その他あらゆる模様を含む。格子状構造とはブロック枠の平面構造のことで、格子状構造の内部は中空状（貫通状）又は凹状（有底状）の嵌め込み部となっている。
【０００７】
中詰め板は、格子状構造の嵌め込み部に嵌め込むことによって一応は固定される。ブロック枠と中詰めブロックとから成る本案舗石ブロック装置を用いて舗装を施した後では、その恐れは少ないが一旦嵌め込み部に収めた中詰めブロックも運搬中や作業中に外れる恐れがない訳ではない。そこで、中詰めブロック周囲に係合部を設け、ブロック枠には、係合部と係合可能な係合部材を取り付ける部分を設けて、中詰めブロックがブロック枠から離脱するのを防止する手段とする。係合部材は１箇所で中詰めブロックの係合部に係合していれば良い。
【０００８】
このような中詰めブロックは、石材や木材を所要の大きさ、形状に切り出したブロックや芝等を植えたマットの形態、若しくは所要の大きさ、形状に型成形されているコンクリートブロックや、タイルなどと呼ばれるものの形態をなしているものである。つまり中詰めブロックは、板状或いは盤状若しくはマット状等、比較的扁平な形状を有し、ブロック枠の嵌め込み部にぴったりと嵌まり合う関係になっているものである。
【０００９】
また複数個のブロック枠を前後左右に配置したときに、隣接するブロック枠同士を連結する手段を適用することができる。連結手段は、連結部と結合部とから成り、連結部は複数個のブロック枠をカバーするように設けられており、結合部は連結部とブロック枠とを結合する。
【００１０】
【実施例】
以下図示の実施例により本発明の嵌め込み式舗石ブロック装置をより詳細に説明する。
【００１１】
図１〜図３は、方形格子模様を形成する格子状構造を持つ実施例１のブロック枠１１の例であり、直交交叉状の格子枠１２で仕切られた構造の内部は中空状の嵌め込み部１３となっている。格子枠１２は下部に幅広部１４を有する逆Ｔ字型断面形状として、幅広部１４にて中詰めブロック２０を受け止めるように形成されている。また幅広部１４には空気抜き口１５が設けられており、下面には水抜き溝１６が設けられている。空気抜き口１５は芝育成用ピン１９を差すために設けられており、水抜き溝１６は排水効果のために設けられている（図６、図７参照）。
【００１２】
格子枠１２には、さらに、係合部材１７を取り付ける部分として小孔１８が格子毎に設けられている。係合部材１７はＴ型の鋲のような形状を有しており、先端は、嵌め込み部１３に嵌まり込んでいる中詰めブロック２０の周囲に形成されている係合部２１に入り込み係合状態を保つ。
【００１３】
ブロック枠同士を連結するための手段として、連結部２２のアーム２３を通す凹溝２４と、凸状の結合部２５を嵌め合わせる凹穴２６とが設けられている。連結手段の具体的構成については実施例２の舗石ブロック装置３０の説明において言及する。
【００１４】
図８〜図１１は、扇形格子模様を形成する格子状構造を持つ実施例２のブロック枠３１の例であり、放射状や同心円状の格子枠３２で仕切られた格子状構造の内部は中空状の嵌め込み部３３になっている。格子枠３２は実施例１のものと同様の幅広部３４を有し、その適当な箇所には空気抜き口３５及び水抜き溝３６が同様に設けられている。また格子枠３２には、係合部材１７を取り付ける小孔３８が格子毎に設けられている。
【００１５】
実施例２のブロック枠３１に形成されている嵌め込み部３３は何種類もの形態を有しており、したがって実施例２の中詰めブロック４０も各種嵌め込み部３３の形態に正確に適合する形態を有している。図１２参照。実施例２のブロック枠３１においても、ブロック枠同士の連結手段として、連結部２２のアーム２３を通す凹溝２４と、凸状の結合部２５を嵌め合わせる凹穴２６とが、同様に設けられている。
【００１６】
例示の連結部２２は井の字型ないしは□の字型を有しており、図１３に示されているように、各ブロック枠３１の下から凹穴２６に結合部２５を嵌め合わせることによって、前後左右にブロック枠を連結して行く。勿論実施例１のものにおいても同様である。特に実施例２の場合には扇形格子模様を有しているので、扇の要に相当する箇所が１点に集まるように連結すると、図１４に示すように円形の集成模様が形成される。
【００１７】
このように構成された本発明の嵌め込み式舗石ブロック装置１０、３０は、図１５〜図１７に例示したような舗装を構築することができる。図１５は、砕石等によって形成される地盤上に砂地をクッションとして敷いて床４１を形成し、その上に不織布類より成る透水層４２を介してパーライトより成る排水層４３を充填し、その上に嵌め込み式舗石ブロック装置１０を敷設して歩道を構築したものである。舗石ブロック装置１０には、パーライト排水層４３の上に当たる層４４として適当な土壌形成層４４が充填され、その表面には芝４５が植え込まれている。
【００１８】
図１５の例における中詰めブロックの芝生のものを、四角い比較的小型の石材製のブロック、当業界でピンコロと呼ばれるもの４６に交替したのが図１６の例であり、パーライト排水層４３は持たない。それ以外の点は図１５の例と変わらないので符号を援用し、詳細な説明は省略する。
【００１９】
図１７は、車道を構築する場合の例であり、砕石充填層の上にコンクリート層４７を厚く打設し強度を得ている。他の構成は図１６或いは図１５の例と同様であるので同じように取り扱う。このように歩道ないしは車道にも適する舗装を構築する上で、本発明の装置は高品質の仕上がりを約束する。
【００２０】
【発明の効果】
本発明は以上の如く構成されかつ作用するものであるから、ブロック枠の各嵌め込み部に中詰めブロックを嵌め込んで行くだけで様々な舗装を構築することができるとともに、目地施工が必要でなく、誰にでも簡単に正しく作業することができ、またブロック枠の模様によって完成状態を予め確認可能であるから、失敗もなく、合理的に施工を進めることができるという効果を奏する。
【図面の簡単な説明】
【図１】（ａ）本発明に係る嵌め込み式舗石ブロック装置の実施例１のブロック枠を示す上面図。
（ｂ）図（ａ）の側面図。
【図２】（ａ）図１のものの下面図。
（ｂ）図１（ａ）のＢ−Ｂ断面図。
【図３】（ａ）図１のものの上側の斜視図。
（ｂ）図１のものの下側の斜視図。
【図４】ブロック枠と中詰めブロックを示す斜視図。
【図５】（ａ）ブロック枠の１列に中詰めブロックを敷いた斜視図。
（ｂ）図５のＢ部拡大図。
【図６】（ａ）図１（ａ）のＡ部拡大図。
（ｂ）図２（ｂ）のＢ部拡大図。
【図７】図２（ａ）のＶＩＩ部拡大図。
【図８】（ａ）本発明の実施例２のブロック枠を示す上面図。
（ｂ）図８（ａ）のものの側面図。
【図９】図８（ａ）のものの下面図。
【図１０】図８のＸ部拡大図。
【図１１】（ａ）図８（ａ）のものの上側の斜視図。
（ｂ）図８（ａ）のものの下側の斜視図。
【図１２】ブロック枠と中詰めブロックを示す斜視図。
【図１３】本発明装置の連結手段を示す、図１２のＡ部拡大図。
【図１４】連結された本発明装置のブロック枠を示す斜視図。
【図１５】（ａ）本発明の適用例１を示す断面図。
（ｂ）同上の斜視図。
【図１６】（ａ）本発明の適用例２を示す断面図。
（ｂ）同上の斜視図。
【図１７】（ａ）本発明の適用例３を示す断面図。
（ｂ）同上の斜視図。
【符号の説明】
１０、３０　嵌め込み式舗石ブロック装置
１１、３１　ブロック枠
１２、３２　格子枠
１３、３３　嵌め込み部
１４、３４　幅広部
１７　係合部材
１８　小孔
２０、４０　中詰めブロック
２１　係合部
２２　連結部
２５　結合部
【図１】
2004116091.tif 000003
【図２】
2004116091.tif 000004
【図３】
2004116091.tif 000005
【図４】
2004116091.tif 000006
【図５】
2004116091.tif 000007
【図６】
2004116091.tif 000008
【図７】
2004116091.tif 000009
【図８】
2004116091.tif 000010
【図９】
2004116091.tif 000011
【図１０】
2004116091.tif 000012
【図１１】
2004116091.tif 000013
【図１２】
2004116091.tif 000014
【図１３】
2004116091.tif 000015
【図１４】
2004116091.tif 000016
【図１５】
2004116091.tif 000017
【図１６】
2004116091.tif 000018
【図１７】
2004116091.tif 000019